(57)【特許請求の範囲】
【請求項１】
常温で液状のエポキシ当量が１６０〜２２０であるフェノールノボラック型エポキシ樹脂と、４−メチルヘキサヒドロ無水フタル酸と、１−（２−ヒドロキシ−５−ニトロフェニルアゾ）−２−ナフトールとを含有する赤外線受光素子用封止剤であって、赤外線を透過し、かつ、６４０ｎｍ以下の波長の光透過率が５％以下の分光特性を有することを特徴とする赤外線受光素子用封止剤。
【請求項２】
立ち上がり波長が、６５０ｎｍ〜８５０ｎｍで、かつ９５０ｎｍの光透過率が９０％以上の分光特性を有する、請求項１に記載の赤外線受光素子用封止剤。
【発明の詳細な説明】
【０００１】
【発明の属する技術分野】
本発明は、可視光をカットし、赤外線を透過する赤外線受光素子用封止剤に関する。
【０００２】
【従来の技術】
近年、テレビや、エアコン等のリモートコントロールによる遠隔操作や、赤外線カメラによる防犯、赤外線の反射による距離測定など、各種電子機器に赤外線を利用した機能が付設されている。
これらのデバイスには、赤外線を発信するための送信部と、赤外線を受信するための受光部とを有している。
この赤外線受光部においては、受光素子として、シリコンによるｐｉｎダイオード等の半導体受光素子が通常用いられている。この場合、この半導体受光素子の最大感度は、９００〜１０００ｎｍの波長で得られるが、受光波長範囲は、３００〜１２５０ｎｍと、可視光線から近赤外線までの広範囲の波長域にわたっている。
【０００３】
一方、赤外線受光部の発光素子のピーク波長は、通常９５０ｎｍである。従って、半導体受光素子の外来光として、６４０ｎｍ以下の波長は、誤作動の原因となる。この外来光としての６４０ｎｍ以下の波長による誤作動の問題を解決するためには、赤外線受光部に６４０ｎｍ以下の波長を遮断する機能をもたせることが必要となる。そこで、赤外線受光部の受光面に、赤外線を透過し、６４０ｎｍ以下の波長を遮断するようなシートを貼り付ける方法が知られている。
【０００４】
しかしながら、シートを貼り付ける方法は、貼り付け作業性が悪く、また、脱落、破損等の問題点があった。
また、シートの貼り付け作業性を解消する方法として、受光素子を、赤外線を透過し、６４０ｎｍ以下の波長を遮断する封止剤にて封止する方法が知られているが、白色蛍光灯（１４０〜８００ｎｍで最大波長５８０ｎｍ）などによってしばしば誤動作する問題点があった。
【０００５】
【発明が解決しようとする課題】
従って、本発明は、このような従来技術の課題を背景になされたもので、６４０ｎｍ以下の波長を充分カットし、赤外線を透過する赤外線受光素子用封止剤を提供することを目的とする。
【０００６】
【課題を解決するための手段】
本発明は、上記課題を達成するために、鋭意検討した結果、以下の構成により、上記課題が達成できることを見出し、本発明に到達したものである。
即ち、本発明は、常温で液状のエポキシ樹脂と、有機酸無水物と、１−（２−ヒドロキシ−５−ニトロフェニルアゾ）−２−ナフトールとを主成分とする赤外線受光素子用封止剤に関し、赤外線を透過し、かつ、６４０ｎｍ以下の波長の光透過率が５％以下の分光特性を有することを特徴とする赤外線受光素子用封止剤に関するものである。
【０００７】
【発明の実施の形態】
本発明の封止剤を構成するエポキシ樹脂は、半導体の配線を腐食させないような、加水分解性塩素量の少ないものであれば、従来から通常使用されている常温で液状の各種エポキシ樹脂が特に制限なく利用可能である。
【０００８】
具体的には、このようなエポキシ樹脂として、ビスフェノールＡ型エポキシ樹脂や、ビスフェノールＦ型エポキシ樹脂、フェノールノボラック型エポキシ樹脂、クレゾールノボラック型エポキシ樹脂、脂環式エポキシ樹脂、複素環式多官能エポキシ樹脂等が代表的なものとして挙げられる。特に、フェノールノボラック型エポキシ樹脂は、硬化後の耐熱性や、耐湿性が優れているので好ましい。
使用するエポキシ樹脂のエポキシ当量は、例えば、１６０〜２２０当量、好ましくは、１７０〜１８０当量が適当であろう。
【０００９】
本発明で使用される有機酸無水物は、上記エポキシ樹脂の硬化剤であり、アミン系硬化剤に比較してポットライフが長く、硬化後の電気的特性や、化学的特性、機械的特性などのバランスがよく、また、硬化反応時における発熱量が少ないため、好適である。
有機酸無水物としては、例えば、テトラヒドロ無水フタル酸や、ヘキサヒドロ無水フタル酸、４−メチルテトラヒドロ無水フタル酸、４−メチルヘキサヒドロ無水フタル酸等の常温で液状の結晶化しにくいものが好ましいが、従来から通常エポキシ樹脂用硬化剤として使用されている常温で液状の有機酸無水物が特に制限なく利用可能である。特に、本発明においては、エポキシ樹脂と混合すると、ポッティング性に優れた低粘度の混合液が得られ、また、硬化後は無色透明で体積固有抵抗値の高い硬化物となる４−メチルヘキサヒドロ無水フタル酸が好適である。
【００１０】
有機酸無水物の配合量は、エポキシ樹脂１００質量部に対して、８０〜１２０質量部、好ましくは、９０〜１１０質量部である。
本発明の封止剤を構成する１−（２−ヒドロキシ−５−ニトロフェニルアゾ）−２−ナフトールは、赤外線を透過し、６４０ｎｍ以下の波長を遮断する機能を有する色素であり、これは、耐熱性や耐湿性が高く、長期間にわたり上記波長の遮断機能を保持する特徴を有している。
１−（２−ヒドロキシ−５−ニトロフェニルアゾ）−２−ナフトールの配合量は、得られる封止剤の、６４０ｎｍ以下の波長の光透過率が５％以下となる量であるが、通常、エポキシ樹脂と、有機酸無水物との合計量１００質量部に対して、例えば、０．０５〜１質量部、好ましくは、０．１〜０．５質量部が好適である。
【００１１】
１−（２−ヒドロキシ−５−ニトロフェニルアゾ）−２−ナフトールをこの範囲で配合することにより、立ち上がり波長６５０〜８５０ｎｍで、かつ９５０ｎｍの光透過率が９０％以上の分光特性を有する封止剤が得られ、６４０ｎｍ以下の波長による誤作動が防止される。
本発明の赤外線受光素子用封止剤には、更に必要に応じて、硬化促進剤や、封止剤の密着性を向上させるためのシランカップリング剤、消泡剤等の各種の添加剤を配合することができる。
硬化促進剤は、エポキシ樹脂と、有機酸無水物とを混合した時、硬化温度以下では安定であり、硬化温度以上の温度にすると急激に硬化反応を促すものである。
【００１２】
このような硬化促進剤としては、例えば、トリス（ジメチルアミノメチル）フェノール、ベンジルジメチルアミン等の第３級アミン類；１，８−ジアザビシクロ（５，４，０）ウンデセン−７（ＤＢＵ）、ＤＢＵのオクチル酸塩、ＤＢＵのｐ−トルエンスルホン酸塩等の塩基性有機化合物；２−メチルイミダゾール、２−エチル−４−メチルイミダゾール、２−フェニルイミダゾール等のイミダゾール類、三フッ化ホウ素・モノエチルアミン錯体、三フッ化ホウ素・ピペリジン錯体等のルイス酸錯体等が挙げられる。硬化促進剤の配合量は、エポキシ樹脂と有機酸無水物の合計量１００質量部に対して、例えば、０．０１〜１質量部、好ましくは、０．１〜０．６質量部が適当である。
【００１３】
【実施例】
以下、本発明について、実施例により更に詳細に説明するが、本発明はこれらに限定されるのもではない。
【００１４】
実施例１、３〜４、比較例１
以下の表１に示す成分を混合して、封止剤を調製した。
得られた組成物を膜厚１ｍｍで、直径２０ｍｍの円盤状に成形し、１５０℃に加温し、硬化させた。得られた硬化物を分光光度計（島津製作所社製ＵＶ−３１００ＰＣ）にて各波長による光透過率を測定し、その結果を同表１の下欄に示した。
【００１５】
【表１】
表１
（単位：質量部）
0004180253.tif 000002
【００１６】
注１） エポキシ当量１７５
注２） １−（２−ヒドロキシ−５−ニトロフェニルアゾ）−２−ナフトール
表１からも明らかの通り、本発明の封止剤である実施例１、３〜４は、６４０ｎｍ以下の波長のカット率が高く、かつ波長９５０ｎｍの光透過率が高いものであり、赤外線受光素子用封止剤として有用なものであった。一方、硬化剤として、有機酸無水物以外のアジピン酸ジヒドラジドを使用した比較例１は、本発明の封止剤よりも６４０ｎｍ以下の波長のカット率が低く、また、赤外線の透過率の低く、誤動作しやすい分光特性を有していた。
【００１７】
【発明の効果】
本発明の封止剤は、半導体受光素子の誤作動の原因となる６４０ｎｍ以下の波長をカットし、赤外線を充分に透過する機能を有し、また封止性、成形性に優れたものである。